(57)【要約】【課題】複数のファイルを印刷対象とする印刷装置において、ユーザーがより容易に印刷対象のファイルの選択や識別ができるようにする。【解決手段】印刷装置（プリンター１００）は、記憶装置（ＨＤＤユニット２１０）を備え、記憶装置に記憶されたファイルの選択が可能なファイル一覧画面において、ファイルの印刷について適否を判断可能な印刷属性情報が表示される。【選択図】図２
2016005895.tif 000002
【特許請求の範囲】
【請求項１】
記憶装置と、
前記記憶装置に記憶されたファイルの選択が可能なファイル一覧画面が表示される表示部と、を備え、
前記ファイル一覧画面には、前記ファイルの印刷について適否を判断可能な印刷属性情報が表示されることを特徴とする印刷装置。
【請求項２】
前記印刷属性情報がアイコンで表示されることを特徴とする請求項１に記載の印刷装置。
【請求項３】
前記印刷属性情報は、前記ファイルに含まれる印刷画像の解像度に基づき表示されることを特徴とする請求項１または請求項２に記載の印刷装置。
【請求項４】
前記印刷属性情報は、前記ファイルの印刷履歴に基づき表示されることを特徴とする請求項１ないし請求項３のいずれか一項に記載の印刷装置。
【請求項５】
前記印刷属性情報は、前記ファイルに含まれる印刷画像のサイズに基づき表示されることを特徴とする請求項１ないし請求項４のいずれか一項に記載の印刷装置。
【請求項６】
表示端末を接続可能な接続部と、
記憶装置と、
を備え、
前記記憶装置に記憶されたファイルの選択が可能なファイル一覧画面が表示される前記表示端末に対して、前記ファイル一覧画面において、前記ファイルの印刷について適否を判断可能な印刷属性情報を表示することを特徴とする印刷装置。
【請求項７】
前記印刷属性情報をアイコンで表示することを特徴とする請求項６に記載の印刷装置。
【請求項８】
前記印刷属性情報は、前記ファイルに含まれる印刷画像の解像度に基づき表示されることを特徴とする請求項６または請求項７に記載の印刷装置。
【請求項９】
前記印刷属性情報は、前記ファイルの印刷履歴に基づき表示されることを特徴とする請求項６ないし請求項８のいずれか一項に記載の印刷装置。
【請求項１０】
前記印刷属性情報は、前記ファイルに含まれる印刷画像のサイズに基づき表示されることを特徴とする請求項６ないし請求項９のいずれか一項に記載の印刷装置。
【発明の詳細な説明】
【技術分野】
【０００１】
本発明は、印刷装置に関する。
【背景技術】
【０００２】
印刷装置としてのインクジェットプリンターには、印刷機能に特化した単機能機や複数の画像処理機能を備えた複合機がある。例えば、特許文献１には、印刷機能（プリンター）に加えて画像読み取り機能（スキャナー）を備え、またオプションとして画像電送機能（ファクシミリ）を付属させることができる構成の複合機が記載されている。この複合機は、通信手段やファイル転送手段、ファイル記憶手段を備えることにより、複合機に接続するコンピューターを起動することなく情報の転送やコピーなどの作業が行えるとしている。
【先行技術文献】
【特許文献】
【０００３】
【特許文献１】特開２００７−２２８０３５号公報
【発明の概要】
【発明が解決しようとする課題】
【０００４】
しかしながら、特許文献１に記載の印刷装置（複合機）は、ファイル記憶手段に記憶されたファイルが、印刷に適したファイルか否かが即座に判らないという課題があった。具体的には、ファイル一覧に表示される情報が、ファイル名やファクシミリで受信した場合の受信時刻、ＦＡＸ番号、相手先（転送元）、ページ数などの情報に限られ、画像の解像度や画像サイズなど、印刷に適したファイルか否かが判断できる情報が含まれないため、印刷処理に当たっては、画像処理アプリケーション（ソフトウェア）などによって個々のファイルを開いて確認する必要があった。
【課題を解決するための手段】
【０００５】
本発明は、上述の課題の少なくとも一部を解決するためになされたものであり、以下の適用例または形態として実現することが可能である。
【０００６】
［適用例１］  本適用例に係る印刷装置は、記憶装置と、前記記憶装置に記憶されたファイルの選択が可能なファイル一覧画面が表示される表示部と、を備え、前記ファイル一覧画面には、前記ファイルの印刷について適否を判断可能な印刷属性情報が表示されることを特徴とする。
【０００７】
本適用例によれば、印刷装置は、記憶装置と、記憶装置に記憶されたファイルの選択が可能なファイル一覧画面が表示される表示部とを備えている。そのため、印刷装置を使うユーザーは、印刷装置に印刷させるファイルを記憶させておくことができる。また記憶させたファイルの一覧を見ることができる。ファイル一覧画面には、ファイルの印刷について適否を判断可能な印刷属性情報が表示される。そのため、ファイルに基づく画像を印刷する際に、ユーザーは、ファイル一覧画面を見るだけで、印刷の適否を容易に判断することが可能となる。
【０００８】
［適用例２］  上記適用例に係る印刷装置において、前記印刷属性情報がアイコンで表示されることを特徴とする。
【０００９】
本適用例によれば、印刷属性情報がアイコンで表示されるため、ユーザーは、ファイル一覧画面を見るだけで、より容易に印刷の適否を判断することが可能となる。
【００１０】
［適用例３］  上記適用例に係る印刷装置において、前記印刷属性情報は、前記ファイルに含まれる印刷画像の解像度に基づき表示されることを特徴とする。
【００１１】
本適用例によれば、印刷属性情報は、ファイルに含まれる印刷画像の解像度が含まれるため、ユーザーは、ファイル一覧画面を見るだけで、より容易に印刷の適否を判断することが可能となる。
【００１２】
［適用例４］  上記適用例に係る印刷装置において、前記印刷属性情報は、前記ファイルの印刷履歴に基づき表示されることを特徴とする。
【００１３】
本適用例によれば、印刷属性情報は、ファイルの印刷履歴に基づき表示されるため、ファイルに含まれる画像を印刷する際に、ユーザーは、ファイル一覧画面を見るだけで、より容易に印刷対象のファイルを選択することが可能となる。
【００１４】
［適用例５］  上記適用例に係る印刷装置において、前記印刷属性情報は、前記ファイルに含まれる印刷画像のサイズに基づき表示されることを特徴とする。
【００１５】
本適用例によれば、印刷属性情報は、ファイルに含まれる印刷画像のサイズに基づき表示されるため、ユーザーは、ファイル一覧画面を見るだけで、より容易に印刷の適否を判断することが可能となる。
【００１６】
［適用例６］  本適用例に係る印刷装置は、表示端末を接続可能な接続部と、記憶装置とを備え、前記記憶装置に記憶されたファイルの選択が可能なファイル一覧画面が表示される前記表示端末に対して、前記ファイル一覧画面において、前記ファイルの印刷について適否を判断可能な印刷属性情報を表示することを特徴とする。
【００１７】
本適用例によれば、印刷装置は、表示端末を接続可能な接続部と、記憶装置とを備えている。また、記憶装置に記憶されたファイルの選択が可能なファイル一覧画面が表示される表示端末に対して、ファイル一覧画面において、ファイルの印刷に係る属性に基づく印刷属性情報を表示する。そのため、印刷装置を使うユーザーは、印刷装置に印刷させるファイルを記憶させておくことができる。また記憶させたファイルの一覧を見ることができる。ファイル一覧画面には、ファイルの印刷について適否を判断可能な印刷属性情報が表示される。そのため、ファイルに基づく画像を印刷する際に、ユーザーは、ファイル一覧画面を見るだけで、印刷の適否を判断することが可能となる。
【００１８】
［適用例７］  上記適用例に係る印刷装置において、前記印刷属性情報をアイコンで表示することを特徴とする。
【００１９】
本適用例によれば、印刷属性情報がアイコンで表示されるため、ユーザーは、ファイル一覧画面を見るだけで、より容易に印刷の適否を判断することが可能となる。
【００２０】
［適用例８］  上記適用例に係る印刷装置において、前記印刷属性情報は、前記ファイルに含まれる印刷画像の解像度に基づき表示されることを特徴とする。
【００２１】
本適用例によれば、印刷属性情報は、ファイルに含まれる印刷画像の解像度に基づき表示されるため、ユーザーは、ファイル一覧画面を見るだけで、より容易に印刷の適否を判断することが可能となる。
【００２２】
［適用例９］  上記適用例に係る印刷装置において、前記印刷属性情報は、前記ファイルの印刷履歴に基づき表示されることを特徴とする。
【００２３】
本適用例によれば、印刷属性情報は、ファイルの印刷履歴が含まれるため、ファイルに含まれる画像を印刷する際に、ユーザーは、ファイル一覧画面を見るだけで、より容易に印刷対象のファイルを選択することが可能となる。
【００２４】
［適用例１０］  上記適用例に係る印刷装置において、前記印刷属性情報は、前記ファイルに含まれる印刷画像のサイズに基づき表示されることを特徴とする。
【００２５】
本適用例によれば、印刷属性情報は、ファイルに含まれる印刷画像のサイズに基づき表示されるため、ユーザーは、ファイル一覧画面を見るだけで、より容易に印刷の適否を判断することが可能となる。
【図面の簡単な説明】
【００２６】
【図１】実施形態１に係る印刷装置としてのプリンターの斜視図。
【図２】実施形態１に係る印刷装置としてのプリンターのブロック図。
【図３】機能拡張装置の一例の画像取得装置（スキャナーユニット）の斜視図。
【図４】コントロールセンターの構成を階層別に示した概念図。
【図５】（ａ），（ｂ）タブレット端末に表示される起動画面の概念図。
【図６】（ａ），（ｂ）タブレット端末に表示される起動画面の概念図。
【図７】コントロールセンターが起動した初期画面の概念図。
【図８】（ａ），（ｂ）ＨＤＤユニットが装着されていない場合のアイコン領域の概念図。
【図９】コピー画面の概念図。
【図１０】スキャン画面の概念図。
【図１１】ファイル操作画面の概念図。
【図１２】操作履歴表示画面の概念図。
【図１３】詳細情報画面の概念図。
【発明を実施するための形態】
【００２７】
以下に本発明を具体化した実施形態について、図面を参照して説明する。以下は、本発明の一実施形態であって、本発明を限定するものではない。なお、以下の各図においては、説明を分かりやすくするため、実際とは異なる尺度で記載している場合がある。また、図面に付記する座標においては、Ｚ軸方向が上下方向、＋Ｚ方向が上方向、Ｙ軸方向が前後方向、＋Ｙ方向が手前方向、Ｘ軸方向が左右方向、＋Ｘ方向が左方向、Ｘ―Ｙ平面が水平面としている。
【００２８】
（実施形態１）
＜印刷装置＞
図１は、実施形態１に係る「印刷装置」としてのプリンター１００の斜視図、図２はブロック図である。
プリンター１００は、例えば、ＪＩＳ規格のＡ０判やＢ０判などといった比較的大きなサイズの印刷媒体に印刷可能な大型のインクジェット式プリンターである。印刷媒体は、ロール状に巻かれた状態で供給される（以下、印刷媒体をロール紙１という）。
プリンター１００は、印刷部１０、ロール紙除給部２０、ロール紙格納部３０、記憶部４０、制御部５０、「表示部」としての操作パネル６０、外部機器との「接続部」としての入出力インターフェイス７０、識別部８０などから構成されている。
【００２９】
また、プリンター１００は、機能拡張装置（オプション装置）として、記憶装置（ＨＤＤ（ハードディスクドライブ）ユニット２１０）を備えており、更に機能拡張装置を付加することで、複合機として構成することができる。更に付加する機能拡張装置としては、画像取得装置（例えばスキャナーユニット２００）、画像電送装置（例えばファクシミリユニット２２０）などであり、これらを個別に、あるいは同時に付加して複合機能を構成することが可能である。
ＨＤＤユニット２１０は、ＵＳＢインターフェイス（図示省力）を介してプリンター１００と接続されるＵＳＢデバイスであり、充分な記憶容量（例えば、スキャナーユニット２００が取り込んだ画像ファイル（以下、画像ファイルを単にファイルとも言う）が保存できる容量）を有している。
【００３０】
また、プリンター１００は、操作パネル６０に加え、ヒューマンインターフェイスとしての「表示端末」を、入出力インターフェイス７０によって接続されるネットワーク９を介して接続することができる。表示端末としては、好適例としてタブレット端末９０を用いるが、これに限定するものではなく、Ｗｅｂブラウザーが表示される表示端末であれば、例えば、携帯通信端末やパーソナルコンピューターなどであっても良い。
ネットワーク９としては、好適例として無線ＬＡＮを用いるが、有線によるＬＡＮや専用回線などを用いることもできる。
【００３１】
印刷部１０は、ロール紙１の表面にインクを吐出して画像を印刷するインクジェットヘッド、インクジェットヘッドを支持し、ロール紙１の表面上を走査移動させるキャリッジなどを備えている（図示省略）。
ロール紙除給部２０は、ロール紙格納部３０に格納された印刷前のロール紙１を印刷部１０の走査移動領域に供給し排出する（またあるいは、印刷部１０の走査移動領域からロール紙格納部３０側に戻す）複数の搬送ローラー（図示省略）を備えている。
ロール紙格納部３０は、装置本体の後側の上部に設けられた第１格納部３１と、装置本体の下側に配置された第２格納部３２とを備える。第１格納部３１および第２格納部３２には、それぞれ印刷前のロール紙１を格納することができる。また、それぞれの格納部には仕様（材質やサイズなど）の異なるロール紙１を格納することもできる。
【００３２】
第１格納部３１、第２格納部３２は、それぞれ、ロール紙１をその軸方向両側から保持する一対のホルダーおよびホルダーに回転動力を伝達するモーター（図示省略）を備え、このモーターの駆動によりホルダーに保持されたロール紙１が回転することで、ロール紙１が送り出されたり、また必要に応じ巻き戻しされたりする。
記憶部４０は、ハードディスクドライブやメモリーカードなどの書き換え可能な記憶媒体である。記憶部４０には、制御部５０が動作するソフトウェア（プログラム）などが記憶される。
制御部５０は、ＣＰＵ（演算部）や、ＲＡＭ、ＲＯＭなどの記憶部を備え（図示省略）、制御部５０が動作するソフトウェアに基づいてプリンター１００全体の集中制御を行う。
操作パネル６０は、表示ディスプレーと入力手段とを備えており、制御部５０に対する指示や選択などを行うことができる。
【００３３】
識別部８０は、制御部５０の機能として構成され、機能拡張装置の接続有無の認識、および接続されている機能拡張装置に固有の識別情報の認識をすることができる。具体的には、例えば、機能拡張装置がＵＳＢデバイスの場合、機能拡張装置のそれぞれが固有の識別情報としてベンダーＩＤ、プロダクトＩＤ、シリアル番号などのキー情報を有している。識別部８０は、入出力インターフェイス７０に接続された機能拡張装置から、これらの情報を読み取り、接続された機能拡張装置の種類や型番、付番などを識別することができる。
【００３４】
＜機能拡張装置＞
図３は、機能拡張装置の一例の画像取得装置としてのスキャナーユニット２００の斜視図である。
スキャナーユニット２００は、Ａ０判やＢ０判などといった比較的大きなサイズまでの原稿（図３において原稿２）を読み取ることができるシートフィード型（読み取りヘッド固定型）のイメージスキャナーである。スキャナーユニット２００は、原稿２を除給する原稿搬送機構、光源やイメージセンサーなどから成る原稿読み取り機構（図示省略）などを備え、可搬型スタンド４に載置される。可搬型スタンド４は、プリンター１００の後方（−Ｙ方向）に設置することができ、スキャナーユニット２００がプリンター１００の上方に位置するようにスキャナーユニット２００本体の下面を支持する。また、スキャナーユニット２００は、ＵＳＢデバイスとして、プリンター１００と接続するためのＵＳＢインターフェイスを備えている。
なお、スキャナーユニット２００の詳細な構成の説明は省略する。
【００３５】
プリンター１００にスキャナーユニット２００を装着した場合、プリンター１００は、スキャナーユニット２００が取り込んだ画像を印刷するコピー機能を持つことができる。
また、プリンター１００は、ＨＤＤユニット２１０を備えているため、以下の機能を持つことができる。
スキャナーユニット２００が取り込んだ画像をＪＰＥＧファイルやＰＤＦファイルなどのファイルとして保存することができる。
電子メールに添付して、別のプリンター１００などに送信することができる。
ネットワーク９を通じてネットワーク９上の共有フォルダーに保存することができる。
ファイルをダウンロードしたり、メール受信したりすることができる。
【００３６】
＜コントロールセンター＞
プリンター１００は、これらを機能させる制御ソフトウェアとしてコントロールセンターを備えている。コントロールセンターは、制御部５０において動作するプログラムの１つであり、プリンター１００およびスキャナーユニット２００が有するハードウェア、ソフトウェア、ファームウェアを制御し機能させる。
また、コントロールセンターは、スキャナーユニット２００やＨＤＤユニット２１０が接続された状態に基づいて、それら機能拡張装置に係る操作情報を操作パネル６０やタブレット端末９０に表示させ様々な操作を可能とする。
【００３７】
図４は、コントロールセンターの構成を階層別に示した概念図である。
コントロールセンターは、コピー、スキャン、ファイル操作、操作履歴表示、設定登録、ヘルプ情報の表示などの機能を有する。
このように、プリンター１００に機能拡張装置としてスキャナーユニット２００を装着することにより、様々な機能が付加される。様々な機能が増加するに伴い、それぞれの機能に対応させるための操作や、対応した機能を選択して実行するための操作、その操作画面の表示などが複雑になってしまう。本実施形態では、このような操作がより簡便に行われるように構成している。
以下、プリンター１００にスキャナーユニット２００およびＨＤＤユニット２１０が装着される場合のプリンター１００の起動方法やコントロールセンターの機能について、タブレット端末９０に表示される画面を参照しながら説明する。
【００３８】
＜コントロールセンターの起動＞
コントロールセンターは、プリンター１００にスキャナーユニット２００が装着されている場合に、ネットワーク９を介してタブレット端末９０からプリンター１００にアクセスして起動することができる。具体的には、まず、タブレット端末９０でＷｅｂブラウザーを起動する。次に、プリンター１００に設定されているＩＰアドレスをＷｅｂブラウザーのアドレスバーに入力し[Enter]または[return]キーを押す。
【００３９】
図５（ａ）は、プリンター１００にスキャナーユニット２００が装着されていない場合に、タブレット端末９０に表示される起動画面の概念図である。スキャナーユニット２００が装着されていないため、コントロールセンター以外の利用できる機能のみ（図５（ａ）には機能１、機能２と例示している）が起動できるボタン（あるいはアイコン）が表示されている。
【００４０】
これに対して、プリンター１００にスキャナーユニット２００が装着された場合、あるいは、プリンター１００にスキャナーユニット２００が装着された状態でタブレット端末９０からアクセスした場合には、図５（ｂ）に示すように、コントロールセンターが起動できるボタン（あるいはアイコン）も合わせて表示される。
これは、スキャナーユニット２００がプリンター１００に装着された場合に、識別部８０がこれを感知し、これを受けた制御部５０が、利用できる機能としてコントロールセンターの起動ボタン（あるいはアイコン）を表示させるためである。
【００４１】
なお、図５（ａ）では、利用できる機能が起動できるボタン（あるいはアイコン）のみが表示されると説明したが、これに限定するものではなく、タブレット端末９０を操作するユーザーが、機能の利用可否を簡便に識別できる表示であれば良い。例えば、利用できない機能はグレーアウト表示させる方法であっても良い。図６（ａ）に示す例では、コントロールセンター起動ボタン（あるいはアイコン）がグレーアウトしている様子を示している。グレーアウトとは、薄いグレーで選択できないことを表現する方法である（図６（ａ）ではこれを破線で表現している）。図６（ｂ）は、図５（ｂ）と同様にコントロールセンターが起動できるようになった状態の画面を示している。
【００４２】
図５（ｂ）あるいは図６（ｂ）の画面でコントロールセンターを選択することで、コントロールセンターが起動する。
なお、プリンター１００にスキャナーユニット２００が装着された状態でタブレット端末９０からアクセスした場合において、コントロールセンター以外に起動する必要が有る機能が無い場合には、図５（ａ），（ｂ）や図６（ａ），（ｂ）の画面を表示させずに、直接コントロールセンターが起動される。
【００４３】
説明の中で、操作パネル６０やタブレット端末９０の画面でアイコンやボタンに対して“選択する”とは、マウスなどのポインティングデバイスやユーザーの指先などにより対象とするアイコンやボタンの位置でクリックやタップの動作により選択を有効にすることを言う。また、予め選択肢が準備されている場合には、対象のボタンを選択すると、準備された選択肢がプルダウンメニューとして表示され、選択することができる。
【００４４】
＜初期画面＞
図７は、コントロールセンターが起動した初期画面の概念図である。
初期画面は、アイコン領域とメイン領域とに分割して表示される。なお、これらの領域以外に、バナー領域（他のＷｅｂサイトにリンクする情報が表示される領域）や、フッター領域（メイン領域の下に固定表示される領域）が表示されても良い。
【００４５】
アイコン領域には、コントロールセンターが有する機能を選択できるアイコンが表示される。具体的には、上述した、コピー、スキャン、ファイル操作、操作履歴表示、設定登録、ヘルプ情報の表示のそれぞれの機能に対応するアイコンが表示される。図７では、それぞれのアイコンを、コピー「Ｃ」、スキャン「Ｓ」、ファイル操作「Ｆ」、操作履歴表示「Ｈ」、設定登録「Ｍ」、ヘルプ情報の表示「？」で示しているが、アイコンは、ユーザーが直感的に機能を識別できる絵などで構成されることが望ましい。
【００４６】
なお、上述したように、スキャナーユニット２００が装着されている場合であっても、ＨＤＤユニット２１０が装着されていない場合には、その機能が制限される。具体的には、ＨＤＤユニット２１０が装着されていない場合には、スキャンしたデータの保存が行われないため、主な機能はコピー機能のみとなり、スキャン「Ｓ」、ファイル操作「Ｆ」、操作履歴表示「Ｈ」などは、利用できない機能になる。
【００４７】
図８（ａ），（ｂ）は、ＨＤＤユニット２１０が装着されていない場合のアイコン領域に示されるアイコンの概念図である。
図８（ａ）は、利用できないアイコン（スキャン「Ｓ」、ファイル操作「Ｆ」、操作履歴表示「Ｈ」）が表示されていない様子を示している。
図８（ｂ）は、利用できないアイコン（スキャン「Ｓ」、ファイル操作「Ｆ」、操作履歴表示「Ｈ」）がグレーアウト表示されている様子を示している。
これは、識別部８０が、ＨＤＤユニット２１０がプリンター１００に装着されたこと（あるいは装着されていること）を感知していないため、制御部５０が利用できる機能として表示させないためである。
【００４８】
＜コピー画面＞
図９は、アイコン領域のコピーアイコン「Ｃ」を選択した場合に表示される画面（以下コピー画面と言う）の概念図である。コントロールセンターが起動した初期画面（図７）は、この画面と同じ画面であっても良い。
コピー画面は、コピーを実行するためのパラメーターが指定できる。コピー画面が開かれるときは、識別部８０がスキャナーユニット２００の接続状態を確認し、スキャナーユニット２００が接続されているときに限りコピー画面を表示する。
なお、各図において、下方向の太い矢印は、アイコンを選択したことを説明している矢印であり、画面には表示されない。
【００４９】
コピー画面のメイン領域には、コピー機能を利用する場合に設定が必要なパラメーターのみが表示される。コピー画面では、ロール紙１の選択（ロール選択）、原稿タイプの選択（原稿タイプ）、印刷品質の選択（コピー品質）、カラーかモノクロかの選択（カラー／モノクロ）、倍率の設定（倍率および倍率設定）、原稿サイズの設定（原稿幅設定）、濃度の設定（濃度）、コントラストの設定（コントラスト）、背景除去の設定（背景除去）、シャープネスの設定（シャープネス）、コピー部数の指定などができる。また、設定内容のリセットや、セットした原稿２の排出、コピーの開始などを実行するボタンがある。
【００５０】
＜スキャン画面＞
図１０は、アイコン領域のスキャンアイコン「Ｓ」を選択した場合に表示される画面（以下スキャン画面と言う）の概念図である。
スキャン画面のメイン領域には、スキャン機能を利用する場合に設定が必要なパラメーターのみが表示される。
スキャン画面では、原稿２の種類の選択（原稿タイプ）、カラーかモノクロかの選択（カラー／モノクロ）、スキャン時の解像度の選択（解像度）、保存ファイルのフォーマットの選択（保存形式）、圧縮率の選択（圧縮率）、原稿サイズの設定（原稿幅設定）、スキャンデータの保存先の選択（スキャン後の保存先）、濃度の設定（濃度）、コントラストの設定（コントラスト）、背景除去の設定（背景除去）、シャープネスの設定（シャープネス）などができる。また、設定内容のリセットや、セットした原稿２の排出、スキャンの開始などを実行するボタンがある。
【００５１】
スキャン時の解像度の選択（解像度）では、プルダウンメニューにより、解像度の値（例えば２００ｄｐｉとか４００ｄｐｉ）からの選択ができる他、“直接印刷対応”の選択をすることができる。“直接印刷対応”を選択すると、印刷部１０で印刷する場合の最適値（予め設定された最適な解像度）が自動的に選択される。また、“直接印刷対応”の選択をしてスキャンし、得られたファイルは、以下に説明する画面の中で、“印刷可能なファイル”として対応するアイコンと共にファイル一覧画面に表示される。
【００５２】
＜ファイル操作画面＞
図１１は、アイコン領域のファイル操作「Ｆ」を選択した場合に表示される画面（以下ファイル操作画面と言う）の概念図である。
ファイル操作画面のメイン領域には、ＨＤＤユニット２１０に記憶されたファイル（スキャンしたファイル、メール受信したファイルなど）が選択可能なファイル一覧画面が表示される。表示される項目は、ファイルの種別のアイコン（種別）、ファイル名、原稿タイプ、メール受信した場合の差出人メールアドレスやメール送信した場合の宛先メールアドレス、共有フォルダーに保存した場合の宛先フォルダー名（送り先／送り元）、作成日時などである。
また、ファイルの一覧は、複数のページに亘る場合があるため、ページ送り、ページ戻しのボタンや、表示中のページを表示する部分がある。
また、ファイル操作画面には、メール受信、削除、詳細情報、メール送信、ダウンロード、フォルダーに転送、印刷などを実行するボタンがある。ファイルの一覧の中から選択されたファイルに対して実行することができる。
【００５３】
種別の列に表示されるアイコンは、ファイルの印刷に係る属性に基づく印刷属性情報であり、ファイルに含まれる印刷画像の解像度やサイズ、また印刷履歴などの情報である印刷属性情報に基づき、対応するアイコン（Ａ１〜Ａ９）が表示される。また、印刷属性情報が設定されているアイコン（Ａ１〜Ａ９）に該当しないファイルには、アイコンが表示されない。
アイコン（Ａ１〜Ａ９）には、例えば以下のようなものがある。
Ａ１：スキャン後にＨＤＤユニット２１０に保存したファイル
Ａ２：スキャン後にＨＤＤユニット２１０に保存した印刷可能なファイル
Ａ３：スキャン後にメール送信した保存ファイル
Ａ４：スキャン後にメール送信した印刷可能な保存ファイル
Ａ５：スキャン後に共有フォルダーに保存したファイル
Ａ６：スキャン後に共有フォルダーに保存した印刷可能なファイル
Ａ７：メール受信したファイル
Ａ８：メール受信した印刷可能なファイル
Ａ９：メール受信した印刷可能なファイルで印刷されていないファイル
【００５４】
なお、印刷属性情報を示すアイコンの種類は、これらに限定するものではなく、印刷に際しユーザーが対象のファイルを選択する場合に、選択や識別がより容易になるアイコンであれば良い。例えば、印刷可能なファイルにおいては、印刷画像の解像度に対応して、超高精細、高精細、普通などを表すアイコンを更に設けても良い。
また、上記の説明で、印刷可能なファイルとは、プリンター１００の構成仕様により予め設定された条件に合致しているファイルである。具体的には、ファイルに基づく印刷画像の解像度やサイズが、プリンター１００の構成仕様（印刷分解能、セットされている印刷媒体のサイズなど）に適しているファイルである。
なお、それぞれのアイコンＡ１〜Ａ９は、ユーザーが直感的に種別を判断できる絵などで構成されることが望ましい。
【００５５】
＜操作履歴表示画面＞
図１２は、アイコン領域の操作履歴表示「Ｈ」を選択した場合に表示される画面（以下操作履歴表示画面と言う）の概念図である。
操作履歴表示画面のメイン領域には、選択可能なファイル一覧画面として、ファイルの操作履歴の一覧が表示される。表示される項目は、ファイルの状態のアイコン（状態）、ファイル名、原稿タイプ、メール送信した場合の宛先メールアドレスや共有フォルダーに保存した場合の宛先フォルダー名、ダウンロードしたパーソナルコンピューターのＩＰアドレス（送り先）、操作日時などである。
また、ファイルの一覧は、複数のページに亘る場合があるため、ページ送り、ページ戻しのボタンや、表示中のページを表示する部分がある。
また、操作履歴表示画面には、詳細表示をさせるボタンがある。ファイルの一覧の中から選択されたファイルの詳細表示をさせることができる。
【００５６】
状態の列に表示されるアイコンは、ファイルの操作履歴に基づく情報であり、印刷履歴や送信、転送履歴などに基づき、対応するアイコン（Ｂ１〜Ｂ７）が表示される。また、アイコン（Ｂ１〜Ｂ７）に該当しないファイルには、アイコンが表示されない。
アイコン（Ｂ１〜Ｂ７）には、例えば以下のようなものがある。なお、アイコンの種類は、これに限定するものではなく、ユーザーが操作履歴に応じて対象のファイルを選択する場合に、選択や識別がより容易になるアイコンであれば良い。
Ｂ１：印刷したファイル
Ｂ２：印刷をキャンセルしたファイル
Ｂ３：メール送信したファイル
Ｂ４：メール送信をキャンセルしたファイル
Ｂ５：共有フォルダーに転送したファイル
Ｂ６：共有フォルダーへの転送をキャンセルしたファイル
Ｂ７：ダウンロードしたファイル
なお、それぞれのアイコンＢ１〜Ｂ７は、ユーザーが直感的に状態を判断できる絵などで構成されることが望ましい。
【００５７】
＜詳細情報画面＞
図１３は、ファイル操作画面（図１１）や操作履歴表示画面（図１２）でファイルを選択し、詳細情報ボタンを押した場合に表示される画面（以下詳細情報画面と言う）の概念図である。
詳細情報画面には、例えば以下の情報が表示される。
上述した印刷属性情報などを示すアイコン（Ａ１〜Ａ９、Ｂ１〜Ｂ７）およびファイル名（ファイル名）、ファイルの作成日時（作成日時）、原稿２の縦横サイズ（ファイルサイズ）、スキャン時の原稿がカラーかモノクロか（カラー／モノクロ）、スキャン時の原稿タイプ、ファイルの保存フォーマット（保存形式）、印刷画像の解像度（解像度）、ファイルの圧縮率（圧縮率）、スキャン時の濃度の値(濃度)、スキャン時のコントラストの値（コントラスト）、スキャン時の背景除去の値（背景除去）、スキャン時のシャープネスの値（シャープネス）、受信したメールの件名（メール件名）、メール差出人やメール宛先のアドレスの名前、転送先フォルダーの名前（名前）、メール差出人やメール宛先のアドレス、転送先フォルダー（送り先／送り元）など。
また、例えば、選択中のファイルに対する印刷、メール送信、ダウンロード、共有フォルダーに転送、削除などの実行ボタンが表示される。
【００５８】
設定登録画面およびヘルプ情報の表示画面についての説明は省略する。
【００５９】
以上述べたように、本実施形態による印刷装置（プリンター１００）によれば、以下の効果を得ることができる。
【００６０】
プリンター１００は、ＨＤＤユニット２１０を備えている。また、ＨＤＤユニット２１０に記憶されたファイルの選択が可能なファイル一覧画面が表示されるタブレット端末９０に対して、ファイル一覧画面において、ファイルの印刷に係る属性に基づく印刷属性情報を表示する。そのため、プリンター１００を使うユーザーは、プリンター１００に印刷させるファイルを記憶させておくことができる。また記憶させたファイルの一覧を見ることができる。ファイル一覧画面には、ファイルの印刷について適否を判断可能な印刷属性情報が表示される。そのため、ファイルに含まれる画像を印刷する際に、ユーザーは、ファイル一覧画面を見るだけで、印刷の適否を判断することが可能となる。
【００６１】
また、印刷属性情報がアイコンで表示されるため、ユーザーは、ファイル一覧画面を見るだけで、より容易に印刷の適否を判断することが可能となる。
【００６２】
また、ファイルの印刷に係る属性には、ファイルに基づく印刷画像の解像度が含まれるため、ユーザーは、ファイル一覧画面を見るだけで、より容易に印刷の適否を判断することが可能となる。具体的には、例えば、実際に印刷を行わなくても印刷品質の推測や識別ができたり、プリンター１００の印刷特性（印刷分解能）との相性が判断できたり、また、印刷に要する時間を推測したりすることができる。
【００６３】
また、ファイルの印刷に係る属性には、ファイルに基づく印刷画像の印刷履歴が含まれるため、ファイルに基づく画像を印刷する際に、ユーザーは、ファイル一覧画面を見るだけで、より容易に印刷対象のファイルを選択することが可能となる。具体的には、例えば、印刷実績の有るファイルを選択する場合や、印刷を実施していないファイルを選択する場合に、簡単に判別することができる。
【００６４】
また、ファイルの印刷に係る属性には、ファイルに基づく印刷画像のサイズが含まれるため、ユーザーは、ファイル一覧画面を見るだけで、より容易に印刷の適否を判断することが可能となる。具体的には、例えば、プリンター１００の設定やプリンター１００にセットされた印刷媒体（ロール紙１）との適否の判断が容易になったり、印刷に要する時間を推測したりすることができる。
【００６５】
なお、上記の説明は、タブレット端末９０に表示される画面を基に説明したが、操作パネル６０においても同様の操作を行うことができる。操作パネル６０は、ネットワーク９を介さずに制御部５０に接続されているため、プリンター１００の電源を投入した段階で、タブレット端末９０がＷｅｂブラウザーを利用してアクセスした画面と同じ画面（図５（ａ），（ｂ）あるいは図６（ａ），（ｂ）で説明した画面）が表示される。他の操作画面は、タブレット端末９０の場合と同じである。
【符号の説明】
【００６６】
１…ロール紙、２…原稿、４…可搬型スタンド、９…ネットワーク、１０…印刷部、２０…ロール紙除給部、３０…ロール紙格納部、３１…第１格納部、３２…第２格納部、４０…記憶部、５０…制御部、６０…操作パネル、７０…入出力インターフェイス、８０…識別部、９０…タブレット端末、１００…プリンター、２００…スキャナーユニット、２１０…ハードディスクドライブ（ＨＤＤ）ユニット。
【図１】
2016005895.tif 000003
【図２】
2016005895.tif 000004
【図３】
2016005895.tif 000005
【図４】
2016005895.tif 000006
【図５】
2016005895.tif 000007
【図６】
2016005895.tif 000008
【図７】
2016005895.tif 000009
【図８】
2016005895.tif 000010
【図９】
2016005895.tif 000011
【図１０】
2016005895.tif 000012
【図１１】
2016005895.tif 000013
【図１２】
2016005895.tif 000014
【図１３】
2016005895.tif 000015